【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
テープ走行路に沿って送られてゆくテープに対し、点字配列の上下方向を維持しつつ前記テープの幅方向における上下片側に寄せて、打刻ヘッドにより点字打刻を行う点字打刻装置の打刻制御方法であって、
前記テープの幅方向における上下片側に寄った領域を、前記点字打刻を行う点字打刻領域として指定する点字打刻領域指定工程と、
指定された前記点字打刻領域に点字打刻を行う点字打刻工程と、を実行することを特徴とする打刻制御方法。
【請求項２】
前記打刻ヘッドは、前記テープ走行路の幅方向における片側に寄った位置に配設され、且つ前記テープは前記点字打刻領域が前記打刻ヘッドに臨むように前記テープ走行路に導入され、
前記テープ走行路に導入された前記テープに対し、前記点字配列の上下方向が維持されるように、前記点字打刻を行うための点字データを１８０°回転させるデータ反転工程をさらに実行することを特徴とする請求項１に記載の打刻制御方法。
【請求項３】
コンピュータに、請求項１または２に記載の打刻制御方法における各工程を実行させるためのプログラム。
【請求項４】
テープ走行路に沿って送られてゆくテープに対し、点字配列の上下方向を維持しつつ前記テープの幅方向における上下片側に寄せて、打刻ヘッドにより点字打刻を行う点字打刻装置において、
前記テープの幅方向における上下片側に寄った領域を、前記点字打刻を行う点字打刻領域として指定する点字打刻領域指定手段と、
指定された前記点字打刻領域に点字打刻を行う点字打刻手段と、を備えたことを特徴とする点字打刻装置。
【請求項５】
墨字用テープ走行路と点字用テープ走行路との非連続の２つのテープ走行路を有し、それぞれのテープ走行路に沿って送られてゆくテープに対し、墨字印刷および点字打刻を行う文字情報処理装置において、
前記墨字用テープ走行路に導入された前記テープに、前記墨字印刷を行う墨字印刷手段と、
前記点字用テープ走行路に導入された前記テープに、前記テープの幅方向における上下片側に寄せて前記点字打刻を行う点字打刻手段と、
前記テープの幅方向における任意の領域を、前記墨字印刷を行う墨字印刷領域として指定すると共に、前記テープの幅方向における上下片側に寄った領域を、前記点字打刻を行う点字打刻領域として指定する領域指定手段と、を備え、
前記墨字印刷手段および前記点字打刻手段は、前記領域指定手段の指定に応じて、それぞれ墨字印刷および点字打刻を行うことを特徴とする文字情報処理装置。
【請求項６】
前記点字打刻手段は、前記点字用テープ走行路の幅方向における片側に寄った位置に配設された打刻ヘッドにより点字打刻を行い、且つ前記テープは前記点字打刻領域が前記打刻ヘッドに臨むように前記テープ走行路に導入され、
前記点字打刻手段は、前記領域指定手段の指定に応じて、前記点字用テープ走行路に導入された前記テープに対し、前記点字配列の上下方向が維持されるように、前記点字打刻を行うための点字データを１８０°回転させて打刻することを特徴とする請求項５に記載の文字情報処理装置。
【請求項７】
前記点字用テープ走行路には、墨字印刷後の前記テープが手差しで導入され、
前記墨字印刷手段は、前記点字用テープ走行路への前記テープの導入方向を示す情報を印刷すると共に、当該導入方向と、前記領域指定手段の指定とに応じて、前記点字配列の上下方向と、前記墨字の上下方向とが一致するように、前記墨字印刷を行うための墨字データを１８０°回転させて印刷することを特徴とする請求項６に記載の文字情報処理装置。
【手続補正２】
【補正対象書類名】明細書
【補正対象項目名】０００５
【補正方法】変更
【補正の内容】
【０００５】
本発明の打刻制御方法は、テープ走行路に沿って送られてゆくテープに対し、点字配列の上下方向を維持しつつテープの幅方向における上下片側に寄せて、打刻ヘッドにより点字打刻を行う点字打刻装置の打刻制御方法であって、テープの幅方向における上下片側に寄った領域を、点字打刻を行う点字打刻領域として指定する点字打刻領域指定工程と、指定された点字打刻領域に点字打刻を行う点字打刻工程と、を実行することを特徴とする。
【手続補正３】
【補正対象書類名】明細書
【補正対象項目名】０００６
【補正方法】変更
【補正の内容】
【０００６】
また、本発明の点字打刻装置は、テープ走行路に沿って送られてゆくテープに対し、点字配列の上下方向を維持しつつテープの幅方向における上下片側に寄せて、打刻ヘッドにより点字打刻を行う点字打刻装置において、テープの幅方向における上下片側に寄った領域を、点字打刻を行う点字打刻領域として指定する点字打刻領域指定手段と、指定された点字打刻領域に点字打刻を行う点字打刻手段と、を備えたことを特徴とする。
【手続補正４】
【補正対象書類名】明細書
【補正対象項目名】０００７
【補正方法】変更
【補正の内容】
【０００７】
また、本発明の文字情報処理装置は、墨字用テープ走行路と点字用テープ走行路との非連続の２つのテープ走行路を有し、それぞれのテープ走行路に沿って送られてゆくテープに対し、墨字印刷および点字打刻を行う文字情報処理装置において、墨字用テープ走行路に導入されたテープに、墨字印刷を行う墨字印刷手段と、点字用テープ走行路に導入されたテープに、テープの幅方向における上下片側に寄せて点字打刻を行う点字打刻手段と、テープの幅方向における任意の領域を、墨字印刷を行う墨字印刷領域として指定すると共に、テープの幅方向における上下片側に寄った領域を、点字打刻を行う点字打刻領域として指定する領域指定手段と、を備え、墨字印刷手段および点字打刻手段は、領域指定手段の指定に応じて、それぞれ墨字印刷および点字打刻を行うことを特徴とする。
【手続補正５】
【補正対象書類名】明細書
【補正対象項目名】０００８
【補正方法】変更
【補正の内容】
【０００８】
これらの構成によれば、点字打刻領域を、テープの幅方向における上下片側に寄せた領域、すなわちテープの上側または下側に寄せた領域を指定して点字打刻を行うことができる。したがって、ユーザの好みやニーズに応じて、テープ幅方向における点字打刻領域の配置を変更することができる。また、本発明の文字情報処理装置によれば、墨字印刷も可能であり、墨字印刷領域および点字打刻領域の、テープの幅方向における配置を指定することができる。なお、「テープの幅方向における上下片側」とは、点字配列の上下に基づいて規定された上側または下側を指すものである。また、「点字配列の上下」とは、点字を構成する各打刻点の凸部を上側として規定されるものではなく、テープの幅方向における点字のマークとしての上下を指すものである。また、本発明は、複数行の点字打刻を行い得る打刻ヘッドを用いた場合にも適用可能である。
【手続補正６】
【補正対象書類名】明細書
【補正対象項目名】０００９
【補正方法】変更
【補正の内容】
【０００９】
上記の打刻制御方法において、打刻ヘッドは、テープ走行路の幅方向における片側に寄った位置に配設され、且つテープは点字打刻領域が打刻ヘッドに臨むようにテープ走行路に導入され、テープ走行路に導入されたテープに対し、点字配列の上下方向が維持されるように、点字打刻を行うための点字データを１８０°回転させるデータ反転工程をさらに実行することが好ましい。
【手続補正７】
【補正対象書類名】明細書
【補正対象項目名】００３７
【補正方法】変更
【補正の内容】
【００３７】
ここで、図３を参照し、テープＴ（Ｔ３：テープ幅１２ｍｍ）上に形成される点字Ｂ（６点点字Ｂ）について説明する。図３（ａ）は、文字情報「し」を表す点字（点字データ）Ｂを示す図である。図３（ａ）に示すように、６点点字Ｂは、縦３個×横２個の６個の点（打刻ポイント）で１マス２００が構成され、当該１マス２００で、１文字または濁点等の属性が表現される。すなわち、縦３個の打刻列が２列以上配列されて点字配列が形成される。なお、点字Ｂには、このような仮名文字や数字等を表す６点点字Ｂの他、漢字を表す８点点字（１マスが縦４個×横２個の点で構成される点字）も使用されているが、８点点字を形成するラベル作成装置においても本発明は当然適用可能である。
【手続補正８】
【補正対象書類名】明細書
【補正対象項目名】００３８
【補正方法】変更
【補正の内容】
【００３８】
６点点字Ｂは、１マス２００が縦３個×横２個の配置パターンで６個の打刻ポイント２０１ａ〜２０１ｆに分割されており、図３（ａ）では、６個の打刻ポイント２０１ａ〜２０１ｆのうち４個の打刻ポイント２０１ａ，２０１ｂ，２０１ｅ，２０１ｆが選択的に打刻されて、テープＴ上に４個の打刻凸部２０２ａ，２０２ｂ，２０２ｅ，２０２ｆが形成されている様子を示している。また、６個の打刻凸部２０２は、縦方向のピッチが略２．４ｍｍ、横方向のピッチが略２．４ｍｍ、隣接マスの点までの（マス間）ピッチは略３．２ｍｍとなっている。
【手続補正９】
【補正対象書類名】明細書
【補正対象項目名】００３９
【補正方法】変更
【補正の内容】
【００３９】
図３（ｂ）は、打刻凸部２０２の断面形状である。図３（ｂ）に示すように、打刻凸部２０２の形状は、角の丸まった円筒形である。なお、打刻凸部２０２の形状は、角の丸まった円筒形のものが良い（触感が良く好ましい）とされているが、他の形状、例えば半球形、円錐形、四角錐形等であってもよい。
【手続補正１０】
【補正対象書類名】明細書
【補正対象項目名】００４０
【補正方法】変更
【補正の内容】
【００４０】
次に、図４を参照し、打刻ユニット８０の詳細な構成について説明する。図４（ａ）は打刻ユニット８０を図１における上側から見た平面図であり、図４（ｂ）は打刻ユニット８０の断面図である。図４（ａ）は、墨字印刷後のテープＴ（テープ幅１２ｍｍ）が、打刻テープ挿入口３１から手差し挿入によりテープ走行路７０に送り込まれ、打刻テープ排出口３２に向かってテープＴが送られてゆく状態を示したものである。
【手続補正１１】
【補正対象書類名】明細書
【補正対象項目名】００４１
【補正方法】変更
【補正の内容】
【００４１】
図４に示すとおり、打刻ユニット８０は、３個の打刻ピン４１を備えた打刻部材８１と、これら打刻ピン４１の突き上げ（打刻）を受ける打刻受け部材８２とを備えており、打刻受け部材８２の背面には、耐衝撃用のばね（図示省略）が組み込まれている。
【手続補正１２】
【補正対象書類名】明細書
【補正対象項目名】００４２
【補正方法】変更
【補正の内容】
【００４２】
打刻部材８１は、テープ幅方向（図示左右方向）に沿って、２．４ｍｍの間隔で配列された３個の打刻ピン４１を備えており、６個の打刻ポイント２０１のうち縦３個の打刻ポイント２０１に対応していると共に、ソレノイド４７を駆動源とした直線運動をガイドする打刻ピンガイド４５によって、テープＴに対し垂直に保持されている。打刻ピン４１の頭部４１ａは、打刻した打刻凸部２０２の形状が角の丸まった円筒形となるように形成されている。
【手続補正１３】
【補正対象書類名】明細書
【補正対象項目名】００４８
【補正方法】変更
【補正の内容】
【００４８】
打刻テープ挿入口３１には、テープ幅の大きいものからテープＴ１（テープ幅２４ｍｍ）、テープＴ２（テープ幅１８ｍｍ）、テープＴ３（テープ幅１２ｍｍ）が挿入可能となっており、最大テープ幅のテープＴ１については上下ガイド７１，７２によってガイドされ、それ以外のテープ幅のテープＴ２，Ｔ３については、幅調整された手差しガイド３１ａと下ガイド部材７１によってガイドされる。例えば、最小テープ幅のテープＴ３を用いる場合、ユーザは、テープＴ３を下ガイド部材７１に沿ってその先端がテープ送りユニット６０（送りローラ６１）に到達するまで（挿入可能な位置まで）手差し挿入する。そして、キーボード３上のテープ送り開始キーを押下することでテープ送りユニット６０によるテープＴ３の送りを開始させる。そして、先端検出センサ９１によるテープ先端の検出をトリガとして、点字打刻処理を開始する（生成した点字データに基づくテープ送りおよび点字打刻を行う）。このとき、テープ先端から打刻開始位置までの前余白（ハーフカット位置より先端側の非情報形成領域も含む）が、打刻ユニット８０（打刻ピン４１）と、先端検出センサ９１との間の長さＬ１よりも短く設定されている場合は（但し、送りローラ６１の位置関係上、前余白が打刻ユニット８０と送りローラ６１との間の長さＬ２よりも長く設定されていることが前提となる）、送りローラ６１を逆回転させることでテープＴを送り戻し、適当な位置まで送ったところで打刻および正方向へのテープ送りを開始する。
【手続補正１４】
【補正対象書類名】明細書
【補正対象項目名】００６０
【補正方法】変更
【補正の内容】
【００６０】
次に、図７を参照し、墨字ラベルＬ１および点字ラベルＬ２を作成する際の大まかな手順について説明する。墨字ラベルＬ１を作成する場合は、図７（ａ）に示すとおり、まずテープカートリッジＣを装着し（１）、装着されたテープカートリッジＣから墨字印刷部１２０へ送り出されたテープＴ上に、入力された文字情報に基づいて墨字Ｐを印刷し（２）、印刷済みのテープＴ（墨字ラベルＬ１）を排出する。作成された墨字ラベルＬ１は、その先端部にハーフカットが施されるが、挿入マークＭ１や上下マークＭ２（図５参照）は印刷されない。なお、墨字ラベルＬ１を作成する場合は、ハーフカットを行うか否かを指定する手段を設けても良い。
【手続補正１５】
【補正対象書類名】明細書
【補正対象項目名】００６１
【補正方法】変更
【補正の内容】
【００６１】
一方、点字ラベルを作成する場合は、図７（ｂ）に示すとおり、テープカートリッジＣを装着し（１）、装着されたテープカートリッジＣから繰り出されたテープＴが墨字印刷部１２０へ送られることによって墨字Ｐを印刷し（２）、印刷済みのテープＴを排出する。このとき、墨字印刷部１２０では、非情報形成領域に、挿入マークＭ１および上下マークＭ２を印刷する（図５参照）。さらに、墨字印刷後のテープＴが、挿入マークＭ１に従って手差し挿入され（２）、点字打刻部１５０へ送られることによって点字Ｂを打刻する（４）。作成された点字ラベルＬ２は、墨字Ｐが印刷されると共に点字Ｂが打刻されており、上下マークＭ２に従って貼着対象物に貼着されることにより利用される。
【手続補正１６】
【補正対象書類名】明細書
【補正対象項目名】００６５
【補正方法】変更
【補正の内容】
【００６５】
また、図８（ｂ）に示すように、テープ幅の検出結果が１８ｍｍ（テープＴ２）の場合も、墨字印刷領域Ｅｐが上段，点字打刻領域Ｅｂが下段（ｂ―１）、または墨字印刷領域Ｅｐが下段，点字打刻領域Ｅｂが上段（ｂ―２）のいずれかが設定可能であるが、後述する「上下位置」の指定を行った場合（図１２のＤ１０参照）、テープ幅に合わせて墨字印刷領域Ｅｐのテープ幅方向の長さが短くなる。つまり、点字Ｂの１マス２００の大きさ（テープ幅方向長さ）は決まっているため、テープ幅１８ｍｍの場合は、テープの幅方向における一方の端部に寄せた領域（上端側または下端側）に点字打刻領域Ｅｂを設定し、残りの領域が墨字印刷領域Ｅｐとなる。
【手続補正１７】
【補正対象書類名】明細書
【補正対象項目名】００６６
【補正方法】変更
【補正の内容】
【００６６】
また、図８（ｃ）に示すように、テープ幅の検出結果が１２ｍｍ（テープＴ３）の場合は、墨字印刷領域Ｅｐと点字打刻領域Ｅｂが重なり合ったレイアウトのみとなるため、墨字印刷領域Ｅｐと点字打刻領域Ｅｂとは上下中央の配置となる。つまり、テープ幅１２ｍｍ（テープＴ３）のときは、テープ幅が点字１マス２００の大きさ（テープ幅方向長さ）を打刻可能な最低の長さであるため（図３（ａ）参照）、ユーザによる配置指定は不要となる。
【手続補正１８】
【補正対象書類名】明細書
【補正対象項目名】００８１
【補正方法】変更
【補正の内容】
【００８１】
ここで、「印刷」キーが押下されると、ディスプレイ４上に、作成される点字ラベルＬ２の長さ、幅、点字Ｂの有無、並びに印刷枚数を表示する（図１３のＤ１３）。この「印刷」キーの押下をトリガとして実行される印刷処理では、テープ送りに同期して挿入マークＭ１と上下マークＭ２の印刷、ハーフカッタ１４４によるハーフカット、並びに入力された情報に基づく墨字データ「あ，い，う」の印刷、フルカッタ１４２によるフルカットを行う。そして、これらの処理を終了すると、図１３に示すような印刷済みテープＴを排出する。ここでは、「下点字」に指定されているため、正方向で印刷された墨字「あいう」が上側に配置されている。
【手続補正１９】
【補正対象書類名】明細書
【補正対象項目名】００８３
【補正方法】変更
【補正の内容】
【００８３】
墨字印刷部１２０における処理を終了すると、ディスプレイ４上には、「打刻挿入口にラベルを挿入してください」と、打刻を案内するメッセージを表示する（Ｄ１４）。そして、ユーザにより打刻テープ挿入口３１にテープＴが挿入され、さらに「選択」キーが押下されると、文字情報「あ，い，う」に基づいて、点字打刻処理を開始する。なお、ここでは「下点字」に指定されているため、点字データを正方向で打刻する。
【手続補正２０】
【補正対象書類名】明細書
【補正対象項目名】００８４
【補正方法】変更
【補正の内容】
【００８４】
以上の手順により作成された点字ラベルＬ２は、図９の（ａ−１）に示したとおりである。すなわち、「下点字」に指定された場合は、墨字データおよび点字データを正方向で印刷／打刻する。一方、図１２のＤ１０において、「上点字」に指定された場合は、図９の（ａ−２）に示すような点字ラベルを作成する。つまり、墨字データおよび点字データを１８０°回転させて印刷／打刻する。また、図１２のＤ０９において、「重記」に指定された場合は、上記のとおり墨字データおよび点字データを正方向で印刷／打刻する。
【手続補正２１】
【補正対象書類名】明細書
【補正対象項目名】００９１
【補正方法】変更
【補正の内容】
【００９１】
また、墨字印刷領域Ｅｐと点字打刻領域Ｅｐの配置指定は、図８に示すような例や「重記」に限らず、例えば墨字印刷領域Ｅｐと点字打刻領域Ｅｐがテープ幅方向において一部だけ重なるようなレイアウトや、墨字印刷領域Ｅｐと点字打刻領域Ｅｐとのテープ幅方向における境界に空白領域を設けたレイアウトなど、多様なレイアウトを選択肢として増やしても良い。但しこの場合であっても、点字打刻領域Ｅｐは、テープＴの幅方向における一方の端部に寄せた領域（上端部または下端部）に指定されることとなり、その指定された配置と打刻ユニット８０の配置とに基づいて、打刻処理を行うこととなる。
【手続補正２２】
【補正対象書類名】図面
【補正対象項目名】図７
【補正方法】変更
【補正の内容】
【図７】
2006188019.tif 000001
【手続補正２３】
【補正対象書類名】図面
【補正対象項目名】図８
【補正方法】変更
【補正の内容】
【図８】
2006188019.tif 000002
【手続補正２４】
【補正対象書類名】図面
【補正対象項目名】図９
【補正方法】変更
【補正の内容】
【図９】
2006188019.tif 000003
【手続補正２５】
【補正対象書類名】図面
【補正対象項目名】図１４
【補正方法】変更
【補正の内容】
【図１４】
2006188019.tif 000004